(57)【要約】      （修正有）【課題】親綱の支持に用いられる親綱支柱の梱包箱への取付け、取外しを容易に行うことができる施工性に優れた親綱支柱取付具及び梱包箱の周壁部に固定した親綱支柱により、作業者の高所作業の安全性を確保することができる高所作業用安全具を提供する。【解決手段】親鋼支柱取付具１０は、梱包箱の柱２０と平行に配置される親綱支柱を挿抜可能に保持する支柱挿通部２１と、支柱挿通部２１の一側部に設けられ、周壁部１４を水平方向に貫通する貫通孔２２に、梱包箱の外から挿通されるガイドパイプ部２３とを有する支柱保持具１７と、梱包箱の外からガイドパイプ部２３に挿通される挿通軸部２８と、挿通軸部２８の先側に設けられたストッパー支持部２９と、ストッパー支持部２９に回動可能に支持されたストッパー部３０と、挿通軸部２８の基側に形成された雄螺子部３１と、雄螺子部３１に螺着されるナット３２とを有する固定具１８とを備える。【選択図】図４
0003226746.tif 000002
【実用新案登録請求の範囲】
【請求項１】
作業者の安全帯が掛け止められる親綱を支持する親綱支柱を梱包箱の周壁部に着脱可能に固定する親綱支柱取付具であって、
前記梱包箱の柱と平行に配置される前記親綱支柱を挿抜可能に保持する支柱挿通部と、該支柱挿通部の一側部に設けられ、前記周壁部を水平方向に貫通する貫通孔に、前記梱包箱の外から挿通されるガイドパイプ部とを有する支柱保持具と、
前記梱包箱の外から前記ガイドパイプ部に挿通される挿通軸部と、該挿通軸部の先側に設けられたストッパー支持部と、該ストッパー支持部に回動可能に支持されたストッパー部と、前記挿通軸部の基側に形成された雄螺子部と、該雄螺子部に螺着されるナットとを有する固定具とを備えたことを特徴とする親綱支柱取付具。
【請求項２】
請求項１記載の親綱支柱取付具において、前記ストッパー支持部は、前記挿通軸部の長手方向と直交して配置され前記ストッパー部の長手方向の途中を軸支する回動軸を有し、前記ストッパー部の重心は、該ストッパー部の長手方向一側に偏っていることを特徴とする親綱支柱取付具。
【請求項３】
請求項１又は２記載の親綱支柱取付具において、前記支柱保持具は、前記ガイドパイプ部の先側に延設されて前記梱包箱の内側に突出し、前記ストッパー部の回動時に該ストッパー部が通過可能な隙間を空けて配置され、前記挿通軸部の両側部をガイドする左右一対の突出ガイド部と、該左右一対の突出ガイド部の先端側の上端部同士又は下端部同士を連結する先端連結部とを有し、鉛直状態の前記ストッパー部の長手方向の一側又は他側が前記先端連結部に押し当てられることにより、前記ストッパー部を強制的に水平状態に回動させる回動規制部を備えたことを特徴とする親綱支柱取付具。
【請求項４】
請求項１〜３のいずれか１記載の親綱支柱取付具において、前記支柱保持具は、前記柱の表面に当接する当接平面部を有することを特徴とする親綱支柱取付具。
【請求項５】
請求項１〜４のいずれか１記載の親綱支柱取付具において、前記親綱支柱の下端部を保持する前記支柱保持具の前記支柱挿通部の下部には、前記親綱支柱の下端部に当接する支柱端支持部が形成されていることを特徴とする親綱支柱取付具。
【請求項６】
請求項１〜５のいずれか１項に記載の親綱支柱取付具を用いた高所作業用安全具であって、
前記梱包箱の複数の前記柱のそれぞれの長手方向に沿って２つずつ取付けられる前記親綱支柱取付具と、該各親綱支柱取付具で保持されて前記周壁部に沿って所定間隔で配置され上部に親綱支持部を有する複数の前記親綱支柱と、前記各親綱支持部に支持されて前記梱包箱の外周に沿って配置される親綱とを備えたことを特徴とする高所作業用安全具。
【請求項７】
請求項６記載の高所作業用安全具において、前記親綱支柱は、該親綱支柱の長手方向の途中で該親綱支柱を保持する前記支柱挿通部の上端周縁に係止される係止部を備えたことを特徴とする高所作業用安全具。
【考案の詳細な説明】
【技術分野】
【０００１】
本考案は、大型の梱包箱（枠組箱）を組立てる際に、作業者の安全帯が掛け止められる親綱を支持する親綱支柱の梱包箱への取付け、取外しを容易に行うことができる親綱支柱取付具及び梱包箱に固定した親綱支柱により、作業者の高所作業の安全性を確保することができる高所作業用安全具に関する。
【背景技術】
【０００２】
従来、各種物品（輸送対象物）の輸送に梱包箱が使用されているが、特に大型の梱包箱の天井板の取付け等のように、２ｍ以上の高さで行われる高所作業では、落下防止対策が義務付けられている。
そこで、例えば、特許文献１には、上部に安全帯用ワイヤロープを掛ける掛り部を有する支柱と、支柱を垂直に支持するための基台とを有し、基台を昇降装置で上昇させて重量物の底部に下方から押し当てることによって、支柱を固定する高所作業安全装置が開示されている。また、特許文献２には、安全帯のランヤード等が係止される係止部材と、フォークリフトトラックのフォークが挿入される連結部材とを具備した墜落防止用の支持体からなる墜落防止器具が開示されている。
【先行技術文献】
【特許文献】
【０００３】
【特許文献１】特開２００３−１３５６１３号公報
【特許文献２】特開２０１９−１８８００９号公報
【考案の概要】
【考案が解決しようとする課題】
【０００４】
しかしながら、特許文献１及び特許文献２では、基台を上昇させるための昇降装置及び連結部材を上昇させるためのフォークリフトトラックをそれぞれ必要とし、高所作業中は、昇降装置及びフォークリフトトラックが占有されてしまうため、昇降装置及びフォークリフトトラックを他の作業に用いることができないという課題があった。なお、特許文献１には、昇降可能な治具を搭載した高所作業安全装置も開示されているが、構造が複雑になり、装置が大掛かりになるという課題があった。
また、特許文献１では、基台を重量物の底部に差し込むことにより支柱を固定し、特許文献２では、支持体をフォークリフトトラックで持ち上げた状態で使用しているため、いずれも支柱及び支持体の設置位置が限られ、作業者の移動可能範囲が限定されて、作業性に欠けるという課題もあった。なお、特許文献２では、作業者の移動に合わせて、フォークリフトトラックで支持体を移動させることにより、移動可能範囲の拡大を図ることも可能であるが、フォークリフトトラックを運転（操作）する作業者が必要であり、省力性に欠けるという課題があった。さらに、移動する作業者の落下を防止するためには、作業者の移動方向及び移動タイミングに合わせてフォークリフトトラックを運転（操作）する必要があり、慎重に運転（操作）を行わなければならず、作業性に欠けるという課題もあった。
実際の組立て作業では、作業者は天井板の各辺に沿って移動しながら、天井板の要所を周壁に固定する必要があり、そのためには、作業者の安全帯を掛け止めて案内する親綱を梱包箱の外周（各辺）に沿うように張り巡らすことが好ましい。そこで、親綱を支持するための親綱支柱を梱包箱の周壁部（外周）に沿って所定間隔で取付けることが望まれる。しかし、複数の親綱支柱を梱包箱の周壁部の柱（縦桟）に直接、ボルト締めして固定するには、多数のボルトを必要とし、しかも、組立て作業の終了後には、全てのボルトを緩めて親綱支柱を取外さなければならず、親綱支柱の取付け、取外しに手間がかかり、施工性に欠けるという課題がある。
本考案は、かかる事情に鑑みてなされたもので、親綱の支持に用いられる親綱支柱の梱包箱への取付け、取外しを容易に行うことができる施工性に優れた親綱支柱取付具及び梱包箱の周壁部に固定した親綱支柱により、作業者の高所作業の安全性を確保することができる高所作業用安全具を提供することを目的とする。
【課題を解決するための手段】
【０００５】
前記目的に沿う第１の考案に係る親綱支柱取付具は、作業者の安全帯が掛け止められる親綱を支持する親綱支柱を梱包箱の周壁部に着脱可能に固定する親綱支柱取付具であって、
前記梱包箱の柱と平行に配置される前記親綱支柱を挿抜可能に保持する支柱挿通部と、該支柱挿通部の一側部に設けられ、前記周壁部を水平方向に貫通する貫通孔に、前記梱包箱の外から挿通されるガイドパイプ部とを有する支柱保持具と、
前記梱包箱の外から前記ガイドパイプ部に挿通される挿通軸部と、該挿通軸部の先側に設けられたストッパー支持部と、該ストッパー支持部に回動可能に支持されたストッパー部と、前記挿通軸部の基側に形成された雄螺子部と、該雄螺子部に螺着されるナットとを有する固定具とを備える。
【０００６】
第１の考案に係る親綱支柱取付具において、前記ストッパー支持部は、前記挿通軸部の長手方向と直交して配置され前記ストッパー部の長手方向の途中を軸支する回動軸を有し、前記ストッパー部の重心は、該ストッパー部の長手方向一側に偏っていることが好ましい。
【０００７】
第１の考案に係る親綱支柱取付具において、前記支柱保持具は、前記ガイドパイプ部の先側に延設されて前記梱包箱の内側に突出し、前記ストッパー部の回動時に該ストッパー部が通過可能な隙間を空けて配置され、前記挿通軸部の両側部をガイドする左右一対の突出ガイド部と、該左右一対の突出ガイド部の先端側の上端部同士又は下端部同士を連結する先端連結部とを有し、鉛直状態の前記ストッパー部の長手方向の一側又は他側が前記先端連結部に押し当てられることにより、前記ストッパー部を強制的に水平状態に回動させる回動規制部を備えてもよい。
【０００８】
第１の考案に係る親綱支柱取付具において、前記支柱保持具は、前記柱の表面に当接する当接平面部を有することが好ましい。
【０００９】
第１の考案に係る親綱支柱取付具において、前記親綱支柱の下端部を保持する前記支柱保持具の前記支柱挿通部の下部には、前記親綱支柱の下端部に当接する支柱端支持部が形成されることが好ましい。
【００１０】
前記目的に沿う第２の考案に係る高所作業用安全具は、第１の考案に係る親綱支柱取付具を用いた高所作業用安全具であって、
前記梱包箱の複数の前記柱のそれぞれの長手方向に沿って２つずつ取付けられる前記親綱支柱取付具と、該各親綱支柱取付具で保持されて前記周壁部に沿って所定間隔で配置され上部に親綱支持部を有する複数の前記親綱支柱と、前記各親綱支持部に支持されて前記梱包箱の外周に沿って配置される親綱とを備える。
【００１１】
第２の考案に係る高所作業用安全具において、前記親綱支柱は、該親綱支柱の長手方向の途中で該親綱支柱を保持する前記支柱挿通部の上端周縁に係止される係止部を備えることが好ましい。
【考案の効果】
【００１２】
第１の考案に係る親綱支柱取付具によれば、梱包箱の周壁部に予め形成した貫通孔にガイドパイプ部を挿通して支柱保持具を仮固定した後、固定具（挿通軸部）をガイドパイプ部に挿通し、ガイドパイプ部を通過したストッパー部を鉛直状態に回動させて周壁部の内面に当接させ、雄螺子部にナットを螺着して締め付けるだけで、ストッパー部とナットとの間で周壁部を挟持して周壁部に対して支柱保持具を強固に固定することができ、支柱保持具の支柱挿通部に挿通される親綱支柱を確実に保持することができる。また、高所作業が終わった後は、ナットを緩め、ストッパー部を水平状態に回動させることにより、固定具（挿通軸部）をガイドパイプ部から引き抜くことができ、支柱保持具及び親綱支柱を梱包箱から簡単に取外すことができる。
【００１３】
第１の考案に係る親綱支柱取付具において、ストッパー支持部が、挿通軸部の長手方向と直交して配置されストッパー部の長手方向の途中を軸支する回動軸を有し、ストッパー部の重心が、ストッパー部の長手方向一側に偏っている場合、ストッパー部を水平状態に回動させて挿通軸部とストッパー部が一直線になるようにして、固定具をガイドパイプ部に挿通すれば、ガイドパイプ部を通過して梱包箱の内側に進入したストッパー部の長手方向一側が、自重により自動的に下方に移動してストッパー部が回動軸を中心に回動し、挿通軸部とストッパー部が直交状態となるので、ストッパー部を周壁部の内面に当接させて固定具の抜けを防止することができる。また、作業終了後に、固定具を軸心回りに１８０度回転させてストッパー部の一側を上方に移動させ、固定具を梱包箱の内側に押し込んでストッパー部を周壁部から引き離すことにより、ストッパー部を自重により水平方向に回動させて、固定具をガイドパイプ部から引き抜くことができる。
【００１４】
第１の考案に係る親綱支柱取付具において、支柱保持具が、ガイドパイプ部の先側に延設されて梱包箱の内側に突出し、ストッパー部の回動時にストッパー部が通過可能な隙間を空けて配置され、挿通軸部の両側部をガイドする左右一対の突出ガイド部と、左右一対の突出ガイド部の先端側の上端部同士又は下端部同士を連結する先端連結部とを有し、鉛直状態のストッパー部の長手方向の一側又は他側が先端連結部に押し当てられることにより、ストッパー部を強制的に水平状態に回動させる回動規制部を備えている場合、固定具をガイドパイプ部から引き抜く際に、回動規制部によりストッパー部を確実に水平状態に回動させることができ、操作性及び動作の確実性に優れる。
【００１５】
第１の考案に係る親綱支柱取付具において、支柱保持具が、柱の表面に当接する当接平面部を有する場合、支柱保持具の固定安定性を向上させ、親綱支柱の姿勢を安定に保ち、高所作業を安全性を高めることができる。
【００１６】
第１の考案に係る親綱支柱取付具において、親綱支柱の下端部を保持する支柱保持具の支柱挿通部の下部に、親綱支柱の下端部に当接する支柱端支持部が形成されている場合、別途、支柱保持具と親綱支柱を固定する手段を必要とせず、親綱支柱の支持安定性に優れる。
【００１７】
第２の考案に係る高所作業用安全具によれば、梱包箱の柱の長手方向に沿って取付けられる２つの親綱支柱取付具で各親綱支柱を簡単かつ確実に固定することができ、周壁部に沿って所定間隔で配置される複数の親綱支柱の親綱支持部で親綱を支持して、高所作業を行う作業者の安全性を保つことができる。
【００１８】
第２の考案に係る高所作業用安全具において、親綱支柱が、親綱支柱の長手方向の途中で親綱支柱を保持する支柱挿通部の上端周縁に係止される係止部を備えている場合、親綱支柱が支柱挿通部から抜け落ちることを防止できると共に、親綱支柱の傾き及び位置ずれ（がたつき）の発生を効果的に防ぐことができ、親綱の保持安定性に優れる。
【図面の簡単な説明】
【００１９】
【図１】（Ａ）は本考案の第１の実施の形態に係る親綱支柱取付具を用いた高所作業用安全具の使用状態を示す正面図であり、（Ｂ）は同親綱支柱取付具を用いた高所作業用安全具の使用状態を示す平面図である。
【図２】（Ａ）は同親綱支柱取付具の支柱保持具の平面図であり、（Ｂ）は（Ａ）のＡ−Ａ線矢視断面図である。
【図３】（Ａ）は同親綱支柱取付具の固定具の正面図であり、（Ｂ）は同親綱支柱取付具の固定具のストッパー支持部及びストッパー部の平面図であり、（Ｃ）は（Ａ）のＢ−Ｂ線矢視端面図であり、（Ｄ）は（Ｂ）のＣ−Ｃ線矢視断面図である。
【図４】（Ａ）〜（Ｅ）は同親綱支柱取付具の取付け、取外し方法の説明図である。
【図５】（Ａ）は本考案の第２の実施の形態に係る親綱支柱取付具の支柱保持具の平面図であり、（Ｂ）は同親綱支柱取付具の支柱保持具の正面図であり、（Ｃ）は（Ｂ）のＤ−Ｄ線矢視断面図である。
【図６】は同親綱支柱取付具の固定具の正面図である。
【図７】（Ａ）〜（Ｅ）は同親綱支柱取付具の取付け、取外し方法の説明図である。
【考案を実施するための形態】
【００２０】
続いて、添付した図面を参照しつつ、本考案を具体化した実施の形態につき説明し、本考案の理解に供する。
図１（Ａ）、（Ｂ）及び図４に示す本考案の第１の実施の形態に係る親綱支柱取付具１０は、大型の梱包箱（枠組箱）１１を組立てる際に、作業者の安全帯が掛け止められる親綱１２を支持するための親綱支柱１３を梱包箱１１の周壁部１４に着脱可能に固定するものである。そして、図１（Ａ）、（Ｂ）に示す本考案の第１の実施の形態に係る親綱支柱取付具を用いた高所作業用安全具１５は、梱包箱１１の周壁部１４に固定された複数の親綱支柱１３で親綱１２を支持することにより、作業者の高所作業の安全を確保することができる。
なお、梱包箱の寸法は、幅及び高さが２〜５ｍ程度、奥行きが２〜１０ｍ程度であり、その形状は直方体でも立方体でもよい。
【００２１】
親綱支柱取付具１０は、図４に示すように、親綱支柱１３を保持する支柱保持具１７と、支柱保持具１７を周壁部１４に固定する固定具１８とを備えている。
まず、支柱保持具１７は、図２（Ａ）、（Ｂ）、図４に示すように、梱包箱１１の柱２０と平行に配置される親綱支柱１３（図１（Ａ）参照）を挿抜可能に保持する支柱挿通部２１と、支柱挿通部２１の一側部に設けられ、周壁部１４の柱２０及び壁板２０ａを水平方向に貫通する貫通孔２２に、梱包箱１１の外から挿通されるガイドパイプ部２３とを有する。本実施の形態では、角パイプで形成された親綱支柱１３の外形形状に合わせて、支柱挿通部２１を平面視して四角形の枠状に形成したが、支柱挿通部は親綱支柱を挿抜可能に保持できればよく、平面視した両者の形状は、必ずしも一致していなくてもよい。但し、支柱保持具１７が、柱２０の表面に当接する当接平面部２５を有することにより、支柱挿通部２１の固定安定性を向上させ、親綱支柱１３の姿勢を安定に保つことができる。なお、支柱保持具１７は、図１（Ａ）に示すように、親綱支柱１３の長手方向の途中又は下端部を保持するので、親綱支柱１３の下端部を保持する下側の親綱支柱取付具１０の支柱保持具１７の支柱挿通部２１の下部（底部）には、図２（Ｂ）に二点鎖線で示すように、親綱支柱１３の下端部に当接する支柱端支持部２６を形成してもよい。
【００２２】
次に、固定具１８は、図３（Ａ）〜（Ｄ）及び図４（Ａ）〜（Ｅ）に示すように、梱包箱１１の外からガイドパイプ部２３に挿通される挿通軸部２８と、挿通軸部２８の先側に設けられたストッパー支持部２９を有し、ストッパー支持部２９にはストッパー部３０が回動可能に支持されている。そして、挿通軸部２８の基側には雄螺子部３１が形成され、雄螺子部３１にはナット３２が螺着される。
ここで、ストッパー支持部２９は、挿通軸部２８の長手方向と直交して配置されストッパー部３０の長手方向の途中を軸支する回動軸３４を有し、ストッパー部３０の重心は、ストッパー部３０の長手方向一側（図３（Ａ）において下側）に偏っている。本実施の形態では、回動軸３４の位置をストッパー部３０の長手方向中央位置より他側にずらす（回動軸３４からストッパー部３０の長手方向一側の端部までの距離を回動軸３４からストッパー部３０の長手方向他側の端部までの距離よりも長くする）ことにより、ストッパー部３０の重心をストッパー部３０の長手方向一側に偏らせた。なお、ストッパー部の長手方向一側の幅や高さをストッパー部の長手方向他側の幅や高さよりも大きくする等して重心を偏らせてもよい。また、ストッパー部３０の長手方向他側には突起部３５が形成され、ストッパー支持部２９の基側には、図３（Ｂ）〜（Ｄ）に示すように、ストッパー部３０が水平状態となった時に、突起部３５と係合する段差状の係合凹部３６が形成されている。なお、突起部と係合凹部の形状は、適宜、選択できるほか、ストッパー部の長手方向他側に突起部を形成せず、ストッパー支持部の基側に支持突起を形成して、ストッパー部の長手方向の他端部を直接支持する構造とすることもできる。
【００２３】
以上のように構成された親綱支柱取付具１０の取付け、取外し方法について説明する。
親綱支柱取付具１０を取付ける際には、図４（Ａ）に示すように、梱包箱１１の周壁部１４の柱２０及び壁板２０ａに予め形成した貫通孔２２にガイドパイプ部２３を挿通して支柱保持具１７を仮固定した後、固定具１８（挿通軸部２８）をガイドパイプ部２３に挿通する。このとき、固定具１８は、図３（Ａ）のように、ストッパー部３０が自重により長手方向一側を下向きにして鉛直になった状態から、ストッパー部３０の長手方向一側を右回りに持ち上げて回動させ、ストッパー部３０を水平にして、挿通軸部２８とストッパー部３０が一直線になった状態で、ストッパー部３０の長手方向一側からガイドパイプ部２３に挿通する。
そして、ストッパー部３０が貫通孔２２を通過し終わると、ストッパー部３０の長手方向一側が自重により自動的に下方に移動し、ストッパー部３０が回動軸３４を中心に左回りに回動して、図４（Ｂ）に示すように、挿通軸部２８とストッパー部３０が直交状態となる。
そこで、固定具１８を梱包箱１１の外側に引き戻すと、図４（Ｃ）に示すように、ストッパー部３０が周壁部１４の内面に当接するので、雄螺子部３１に螺着したナット３２を締め付けることにより、ストッパー部３０とナット３２との間で周壁部１４と支柱保持具１７を挟持することができる。これにより、固定具１８の抜けを防止し、周壁部１４に対して支柱保持具１７を強固に固定することができる。
【００２４】
親綱支柱取付具１０を取外す際には、図４（Ｄ）に示すように、ナット３２を緩めて固定具１８を挿通軸部２８の軸心回りに１８０度回転（上下を反転）させ、ストッパー部３０の長手方向一側を上向きにして固定具１８を梱包箱１１の内側に押し込む。ストッパー部３０は、周壁部１４の内面から離れて支えを失うので、ストッパー部３０の長手方向一側が自重により挿通軸部２８の先側（ここでは左側）に向かって倒れる（回動軸３４を中心に左回りに回動する）。このとき、突起部３５が係合凹部３６に係合するので、図４（Ｅ）に示すように、ストッパー部３０が水平状態となり、固定具１８（挿通軸部２８）をガイドパイプ部２３から引き抜くことができる。
なお、梱包箱１１の外からは固定具１８の状態（ストッパー部３０の向き）を確認することができないので、固定具１８をガイドパイプ部２３に挿通する際の上下を示す目印を挿通軸部２８の基側端面等に設けることが好ましい。
【００２５】
次に、高所作業用安全具１５について説明する。
高所作業用安全具１５は、図１（Ａ）、（Ｂ）に示すように、梱包箱１１の複数の柱２０のそれぞれの長手方向に沿って２つずつ取付けられる親綱支柱取付具１０と、各親綱支柱取付具１０で保持されて周壁部１４に沿って所定間隔で配置され上部に親綱支持部４０を有する複数の親綱支柱１３と、各親綱支持部４０に支持され平面視して梱包箱１１の外周（各辺）に沿って配置される親綱１２（図１（Ｂ））とを備えたものである。
図４（Ａ）〜（Ｃ）に示した手順により、柱２０の長手方向に沿って２つの親綱支柱取付具１０を取付け、上下の支柱保持具１７の支柱挿通部２１（図２（Ａ）、（Ｂ）参照）に親綱支柱１３を挿通することにより、親綱支柱１３を固定することができる（図１（Ａ）参照）。このとき、親綱支柱１３に、図１（Ａ）に示すように、親綱支柱１３の長手方向の途中で親綱支柱１３を保持する上側の支柱保持具１７の支柱挿通部２１（図２（Ａ），（Ｂ）参照）の上端周縁に係止される係止部３８を形成することにより、親綱支柱１３が支柱挿通部２１から抜け落ちることを防止できると共に、親綱支柱１３の傾き及び位置ずれ（がたつき）の発生を効果的に防ぐことができる。係止部は、支柱挿通部の上端周縁に係止されるものであればよく、その形状及び大きさは適宜、選択することができる。また、係止部は、親綱支柱の固定安定性の面から、図１（Ａ）に示すように、親綱支柱の四面に設けることが好ましいが、対向する二面のみに設けてもよいし、四面のうちのいずれか三面に設けてもよい。なお、先に説明したように、下側の支柱保持具１７の支柱挿通部２１の下部（底部）に、親綱支柱１３の下端部を支持する支柱端支持部２６（図２（Ｂ）参照）を設ける場合、係止部の数を減らして親綱支柱の四面のうちのいずれか一面のみに設けてもよいし、係止部を省略してもよい。また、親綱支柱に係止部を設ける場合は、支柱保持具の支柱端支持部は設けなくてもよい。
【００２６】
以上のようにして、図１（Ａ）、（Ｂ）に示すように、複数の親綱支柱１３を梱包箱１１の周壁部１４に沿って取付ける。各親綱支柱１３の上部にはアイボルト状の親綱支持部４０が取付けられており、平面視して梱包箱１１の外周の各辺上で隣り合う親綱支持部４０をそれぞれ親綱１２で連結することにより、平面視して梱包箱１１の外周の各辺に沿って親綱１２を配置（図１（Ｂ））することができ、高所作業用安全具１５の設置が完了する。
ここで、親綱支柱の配置間隔、親綱支持部の取付け位置及び取付け方向等は適宜、選択することができる。また、親綱の端部に取付けたフック（図示せず）を親綱支持部に引っ掛ける構造とすることにより、簡単に親綱支持部に親綱を連結することができるが、親綱支持部の形状及び親綱支持部と親綱との連結方法は適宜、選択することができる。
【００２７】
作業者は、梱包箱１１の上面に載置される天井板４１の上に上がり、安全帯の先端（自由端）に取付けられたフックを親綱１２に引っ掛けて、天井板４１の上を移動しながら、天井板４１の固定作業等を行う。このとき、作業者の移動に伴ってフックが親綱１２に沿って移動するので、フックが親綱支柱１３に近づいたら、隣（親綱支柱１３の反対側）の親綱１２に掛け変えて作業を続ける。
ここで、親綱支柱の長さは適宜、選択することができる。なお、例えば、親綱支柱が梱包箱の上面から突出する長さを１〜１．５ｍ程度にすれば親綱の取付け、フックの掛け変え及び作業者の移動をスムーズに行うことができるが、これに限定されるものではない。
【００２８】
次に、本考案の第２の実施の形態に係る親綱支柱取付具４３について説明する。なお、第１の実施の形態と同様の構成については、同一の符号を付して説明を省略する。
図７（Ａ）〜（Ｅ）に示す親綱支柱取付具４３は、図５（Ａ）〜（Ｃ）に示す支柱保持具４４と図６に示す固定具４５で構成される。
図５（Ａ）〜（Ｃ）及び図７（Ａ）〜（Ｅ）に示す支柱保持具４４が支柱保持具１７と異なる点は、ガイドパイプ部２３の先側に回動規制部４６を有する点である。この回動規制部４６は、ガイドパイプ部２３の先側に延設されて梱包箱１１の内側に突出し、後述する固定具４５のストッパー部３０ａの回動時にストッパー部３０ａが通過可能な隙間４８を空けて配置され、挿通軸部２８の外側部をガイドする左右一対の突出ガイド部４９ａ、４９ｂと、左右一対の突出ガイド部４９ａ、４９ｂの先端側の上端部同士を連結する先端連結部５０を有している。
また、図６及び図７（Ａ）〜（Ｅ）に示す固定具４５が固定具１８と異なる点は、ストッパー部３０ａが突起部３５を備えておらず、ストッパー支持部２９の基側に係合凹部３６が形成されていない点である。
【００２９】
以上のように構成された親綱支柱取付具４３の取付け、取外し方法について説明する。
親綱支柱取付具４３を取付ける際には、図７（Ａ）に示すように、梱包箱１１の周壁部１４の柱２０及び壁板２０ａに予め形成した貫通孔２２にガイドパイプ部２３を挿通して支柱保持具４４を仮固定した後、固定具４５（挿通軸部２８）をガイドパイプ部２３に挿通する。このとき、固定具４５は、図６のように、ストッパー部３０ａが自重により長手方向一側を下向きにして鉛直になった状態から、ストッパー部３０ａの長手方向一側を右回りに持ち上げて回動させ、ストッパー部３０ａを水平にして、挿通軸部２８とストッパー部３０ａが一直線になった状態で、ストッパー部３０ａの長手方向一側からガイドパイプ部２３に挿通する。
そして、ストッパー部３０ａが貫通孔２２を通過して回動規制部４６（隙間４８と重なる位置）まで達すると、ストッパー部３０ａの長手方向一側が自重により自動的に下方に移動して、ストッパー部３０ａが回動軸３４を中心に左回りに回動し、ストッパー部３０ａの一側及び他側が隙間４８を通過して、図７（Ｂ）に示すように、挿通軸部２８とストッパー部３０ａが直交状態となる。
そこで、固定具４５を梱包箱１１の外側に引き戻すと、図７（Ｃ）に示すように、ストッパー部３０ａが周壁部１４の内面に当接するので、雄螺子部３１に螺着したナット３２を締め付けることにより、ストッパー部３０ａとナット３２との間で周壁部１４と支柱保持具４４を挟持することができる。これにより、固定具４５の抜けを防止し、周壁部１４に対して支柱保持具４４を強固に固定することができる。
【００３０】
親綱支柱取付具４３を取外す際には、図７（Ｄ）に示すように、ナット３２を緩めて固定具４５を梱包箱１１の内側に押し込むことにより、ストッパー部３０ａの長手方向の他側を先端連結部５０に押し当てて、鉛直状態のストッパー部３０ａの長手方向他側を挿通軸部２８の基側（ここでは右側）に向かって倒し（回動軸３４を中心に右回りに回動させ）、ストッパー部３０ａを強制的に水平状態にする。
その後、図７（Ｅ）に示すように、固定具４５を挿通軸部２８の軸心回りに９０度回転させて回動軸３４を鉛直にし、ストッパー部３０ａが自重で回動しないようにしてガイドパイプ部２３から引き抜くことができる。
回動規制部は、円形パイプの上面側に先端連結部を残して長孔をあけ、下面側に先端まで切れ目を入れることにより形成することができる。
なお、本実施の形態では、突出ガイド部の先端側の上端部に先端連結部を設けたが、先端連結部を下端部に設けることもでき、その場合は、固定具を引き抜く際に、ストッパー部の長手方向の一側を先端連結部に押し当てて、ストッパー部を強制的に水平状態にすることができる。同様に、支柱保持具４４は、上下（左右）を反転させ、先端連結部５０が下向きになるようにして使用することもできる。
親綱支柱取付具４３は、親綱支柱取付具１０との構造の違いにより、取付け、取外し方法が異なるだけで、親綱支柱取付具１０と同様の作用、効果を有する。
【００３１】
以上、本考案の実施の形態を説明したが、本考案は、上記した形態に限定されるものでなく、要旨を逸脱しない条件の変更等は全て本考案の適用範囲である。
例えば、上記実施の形態では、親綱支柱を角パイプで形成したが、親綱支柱の形状は、適宜、選択することができ、丸パイプ又はＨ型鋼で形成してもよいし、アングルやチャンネル鋼等を組合せて形成してもよい。
また、支柱保持具の支柱挿通部とガイドパイプ部の配置は左右逆転してもよい。
【符号の説明】
【００３２】
１０：親綱支柱取付具、１１：梱包箱（枠組箱）、１２：親綱、１３：親綱支柱、１４：周壁部、１５：高所作業用安全具、１７：支柱保持具、１８：固定具、２０：柱、２０ａ：壁板、２１：支柱挿通部、２２：貫通孔、２３：ガイドパイプ部、２５：当接平面部、２６：支柱端支持部、２８：挿通軸部、２９：ストッパー支持部、３０：ストッパー部、３０ａ：ストッパー部、３１：雄螺子部、３２：ナット、３４：回動軸、３５：突起部、３６：係合凹部、３８：係止部、４０：親綱支持部、４１：天井板、４３：親綱支柱取付具、４４：支柱保持具、４５：固定具、４６：回動規制部、４８：隙間、４９ａ、４９ｂ：突出ガイド部、５０：先端連結部
【図１】
0003226746.tif 000003
【図２】
0003226746.tif 000004
【図３】
0003226746.tif 000005
【図４】
0003226746.tif 000006
【図５】
0003226746.tif 000007
【図６】
0003226746.tif 000008
【図７】
0003226746.tif 000009